(57)【要約】      （修正有）【課題】商品を収容して搬送できるとともに販売場所などにおいて開封してそのまま商品を展示することができる商品展示用収容箱において、開封時に不要な紙片などの不必要な物が発生するおそれを低減させ、そのまま商品を展示・陳列することができるように自立することのできる商品展示用収容箱を提供する。【解決手段】内部に、商品を引っ掛けることのできるフックが設けられ、第二側板２０の先端に対して所定の角度に折り曲げた状態で固定された第一支持片７０と、第四側板４０の先端に対して所定の角度に折り曲げた状態で固定された第二支持片８０とが設けられ、蓋板５０の先端に、第一支持片７０および第二支持片８０の先端を挿嵌して固定可能な差し込み用切込み５２が設けられている。【選択図】図７
0003214295.tif 000002
【実用新案登録請求の範囲】
【請求項１】
矩形状の底板と、底板の各辺に対して折り曲げ可能にそれぞれ連設される第一側板、第二側板、第三側板および第四側板と、前記第一側板の先端に対して折り曲げ可能に連設されるとともに前記第三側板側に対して固定可能な蓋板とが備えられた商品展示用収容箱であって、  内部に、商品または商品の包装などを引っ掛けることのできるフックなどの商品固定手段が設けられ、前記第二側板の先端に対して所定の角度に折り曲げた状態で固定された第一支持片と、前記第四側板の先端に対して所定の角度に折り曲げた状態で固定された第二支持片とが設けられ、前記蓋板の先端または前記第一支持片および第二支持片の先端の少なくとも一方に、前記第一支持片および前記第二支持片または前記蓋板の他方の先端を挿嵌して固定可能な差し込み用切込みが設けられていることを特徴とする商品展示用収容箱。
【請求項２】
前記蓋板の先端並びに前記第一支持片および第二支持片の先端に、前記第一支持片および前記第二支持片並びに前記蓋板の先端を互いに挿嵌して固定可能な差し込み用切込みが設けられていることを特徴とする請求項１に記載の商品展示用収容箱。
【請求項３】
第二側板および第四側板を底板外側に固定可能な固定手段が設けられていることを特徴とする請求項１または請求項２に記載の商品展示用収容箱。
【請求項４】
前記固定手段は、前記第一支持片および前記第二支持片の基端側の一部を切り欠いて、第二側板の先端および第四側板の先端に折り曲げ可能に突設された固定用舌状片に取り付けられていることを特徴とする請求項３に記載の商品展示用収容箱。
【請求項５】
前記固定手段はベルクロファスナーであることを特徴とする請求項３または請求項４に記載の商品展示用収容箱。
【請求項６】
前記第二側板および前記第四側板の上辺に第二側板または第四側板の先端に対して所定の角度に折り曲げた状態で固定された上部保持片と、前記第二側板および前記第四側板の下辺に第二側板または第四側板の先端に対して所定の角度に折り曲げた状態で固定された下部保持片とが設けられたことを特徴とする請求項１から請求項５のいずれかに記載の商品展示用収容箱。
【請求項７】
前記第一支持片および前記第二支持片の下辺は、前記第一支持片および前記第二支持片の先端にかけて上方向に向けて傾斜されるように設けられたことを特徴とする請求項１から請求項６のいずれかに記載の商品展示用収容箱。
【請求項８】
前記第三側板の先端には、前記底板からの連設部に対して平行に、商品陳列用収容箱の自立状態において上方に向けて頂部が形成される折り曲げ部が形成されていることを特徴とする請求項１から請求項７のいずれかに記載の商品展示用収容箱。   
【考案の詳細な説明】
【技術分野】
【０００１】
本考案は、商品展示用収容箱に関するものである。
【背景技術】
【０００２】
従来、商品が収容されて梱包された状態で商品の販売場所まで搬送され、販売場所において開封して商品を販売するための段ボール箱などの紙製の箱が多く用いられている。このような箱のうち、例えば、開封した段ボール箱をそのまま商品を展示することができる商品展示用収容箱が知られている。このような商品展示用収容箱には、箱状のまま搬送された商品展示用収容箱を開封し、商品の梱包状態から商品を並べ替えるなどの作業をすることなく、収納時の商品の梱包状態のまま展示・陳列することのできるものも知られている（特許文献１参照）。
【先行技術文献】
【特許文献】
【０００３】
【特許文献１】特開２０１１−２４６１４０公報（図１、図２等）
【考案の概要】
【考案が解決しようとする課題】
【０００４】
しかしながら、前述した従来の商品展示用収容箱では、開封時に本体から取り外した蓋を保管しておく必要があるか、取り外した蓋を捨てる必要がある。いずれにしても、販売場所に搬送された商品展示用収容箱を用いて商品の展示をする際に、展示には不必要な物が発生してしまう。販売場所は、販売店の店頭など顧客が立ち入る場所であるため、このような不必要な物が生ずると特に処理に困るという事情がある。  
【０００５】
そこで、本考案は前述した従来の商品展示用収容箱の問題を解決しようとするものであり、商品を収容して搬送できるとともに販売場所などにおいて開封してそのまま商品を展示することができる商品展示用収容箱において、開封時に不要な紙片などの不必要な物が発生するおそれを低減させ、そのまま商品を展示・陳列することができるように自立することのできる商品展示用収容箱を提供することを目的とする。
【課題を解決するための手段】
【０００６】
上記目的を達成するものは、以下のものである。（１）矩形状の底板と、底板の各辺に対して折り曲げ可能にそれぞれ連設される第一側板、第二側板、第三側板および第四側板と、前記第一側板の先端に対して折り曲げ可能に連設されるとともに前記第三側板側に対して固定可能な蓋板とが備えられた商品展示用収容箱であって、  内部に、商品または商品の包装などを引っ掛けることのできるフックなどの商品固定手段が設けられ、前記第二側板の先端に対して所定の角度に折り曲げた状態で固定された第一支持片と、前記第四側板の先端に対して所定の角度に折り曲げた状態で固定された第二支持片とが設けられ、前記蓋板の先端または前記第一支持片および第二支持片の先端の少なくとも一方に、前記第一支持片および前記第二支持片または前記蓋板の他方の先端を挿嵌して固定可能な差し込み用切込みが設けられていることを特徴とするものである。  
【０００７】
このような商品展示用収容箱においては、商品については商品固定手段に固定したまま梱包時から展示・陳列状態を維持することができる。そして、商品をこのように固定したまま商品展示用収容箱を展開し、底板に対して、第二側板、第四側板および蓋板を商品の固定部位とは反対側に折り曲げることが可能である。そしてこのように折り曲げた第二側板、第四側板および蓋板を商品の固定部位とは反対側において、差し込み用切込みを利用して挿嵌して固定することにより、第二側板２０および第四側板４０に対して所定の角度に折り曲げた状態で固定されている第一支持片と第二支持片は、商品に対して、展開した商品展示用収容箱の後方にむけて保持されることになる。このようにして、第一支持片および第二支持片、さらに展開状態の第三側板により、展開した状態の商品展示用収容箱を自立させることが可能になる。そして、このように商品展示用収容箱を展開して自立させることができるので、箱状の状態から特別なゴミなどが発生するおそれを低減させることができる。  
【０００８】
また、（２）前記蓋板の先端並びに前記第一支持片および第二支持片の先端に、前記第一支持片および前記第二支持片並びに前記蓋板の先端を互いに挿嵌して固定可能な差し込み用切込みが設けられていることを特徴とする（１）に記載の商品展示用収容箱である。  
【０００９】
第一支持片および第二支持片と蓋板との双方に、互いに挿嵌して固定可能な差し込み用切込みを設けるので、第一支持片および第二支持片と蓋板とを前後左右のそれぞれの方向において移動しないように動きを抑制でき、これらの部材の固定をより安定させることができる。  
【００１０】
また、（３）第二側板および第四側板を底板外側に固定可能な固定手段が設けられていることを特徴とする（１）または（２）に記載の商品展示用収容箱である。  
【００１１】
本考案においては、底板の「外側」とは、箱状に組み立てられた際の箱の外側の部位を指す。このような固定手段を設けることにより、第二側板および第四側板と底板とを確実に固定することができる。よって、第二側板および第四側板に対して所定の角度に折り曲げた状態で固定されている第一支持片と第二支持片についても、底板に対して確実に固定することができる。したがって、展開して自立状態に組み立てられた商品展示用収容箱をより安定的に自立させることができる。このような固定手段としては、例えば、第二側板側および第四側板側に取り付けられたベルクロファスナーと、底板外側との双方に取り付けられたベルクロファスナーや、これらの一方に取り付けられた両面テープなどを例示することができる。  
【００１２】
また、（４）前記固定手段は、前記第一支持片および前記第二支持片の基端側の一部を切り欠いて、第二側板の先端および第四側板の先端に折り曲げ可能に突設された固定用舌状片に取り付けられていることを特徴とする（３）に記載の商品展示用収容箱である。  
【００１３】
第二側板および第四側板は、商品展示用収容箱を箱状に組み立てた際には箱の外側に露呈される部位である。前述した固定手段を第二側板および第四側板事態に取り付けることもできるが、このように第二側板および第四側板の先端に突設される固定用舌状片に取り付けることにより、箱状に組み立てた際には、箱の内側に当該固定手段を隠ぺいすることが可能であり、梱包・搬送時の商品展示用収容箱の美観をできる限り損ねないようにすることができる。  
【００１４】
また、（５）前記固定手段はベルクロファスナーであることを特徴とする（３）または（４）に記載の商品展示用収容箱である。  
【００１５】
ベルクロファスナーを用いることにより、両面テープなどを用いる場合のように保護シールを不要とし保護シールを取り外す煩雑さも無くすことができる。  
【００１６】
また、（６）前記第二側板および前記第四側板の上辺に第二側板または第四側板の先端に対して所定の角度に折り曲げた状態で固定された上部保持片と、前記第二側板および前記第四側板の下辺に第二側板または第四側板の先端に対して所定の角度に折り曲げた状態で固定された下部保持片とが設けられたことを特徴とする（１）から（５）のいずれかに記載の商品展示用収容箱である。  
【００１７】
このような上部保持片および下部保持片により、第二側板と第一支持片、第四側板と第二支持片とを所定の角度で折り曲げた状態で固定された状態を補強することができる。さらに、下部保持片が商品展示用収容箱の載置面に当接するので、展開した商品展示用収容箱をより安定して自立させることができる。  
【００１８】
また、（７）前記第一支持片および前記第二支持片の下辺は、前記第一支持片および前記第二支持片の先端にかけて上方向に向けて傾斜されるように設けられたことを特徴とする（１）から（６）のいずれかに記載の商品展示用収容箱である。  
【００１９】
このように、展開して自立した状態の商品展示用収容箱において商品とは反対側の後方に向けて延設される第一支持片および第二支持片の下辺を傾斜させることにより、自立した状態の商品展示用収容箱を後方に傾けた状態で保持することができる。自立した状態の商品展示用収容箱の正面側には商品が掛けられた状態であるため、商品の重さによっては、このように自立した状態の商品展示用収容箱を後方に傾けた状態で保持することにより、自立状態をバランスよく維持することができる。  
【００２０】
また、（８）前記第三側板の先端には、前記底板からの連設部に対して平行に、商品陳列用収容箱の自立状態において上方に向けて頂部が形成される折り曲げ部が形成されていることを特徴とする（１）から（７）のいずれかに記載の商品展示用収容箱である。  
【００２１】
このような折り曲げ部によって組み立てて自立状態の商品展示用収容箱の正面側に「突提」状の部位を形成することができ、商品が誤って落下したような場合でも手前側への商品の落下を防止することができる。また、折り曲げて傾斜された折り曲げ部の正面側面に広告表示などを表示すると、購入者などに対して広告表示を目立つように表示することもできる。
【考案の効果】
【００２２】
本考案の商品展示用収容箱は、前述したように構成されているので、商品を収容して搬送できるとともに販売場所などにおいて開封して商品を展示することができる商品展示用収容箱において、開封時に不要な紙片などの不必要な物が発生するおそれを低減させ、そのまま商品を展示・陳列することができるように自立させることができる。
【図面の簡単な説明】
【００２３】
【図１】本考案の商品展示用収容箱を組み立てた状態の正面側斜視図である。
【図２】本考案の商品を収容して梱包した状態から蓋板を開けた状態の商品展示用収容箱の斜視図である。
【図３】本考案の商品展示用収容箱に用いる台紙の平面図である。
【図４】商品を梱包する前の状態の図３の台紙の平面図である。
【図５】商品を梱包した状態の商品展示用収容箱の斜視図である。
【図６】第二側板および第四側板を、商品展示用収容箱の背面側に折り曲げた状態の商品展示用収容箱の斜視図である。
【図７】図６の状態から、第二側板および第四側板を底板に固定し、第一側板を商品展示用収容箱の背面側に折り曲げた状態の商品展示用収容箱の斜視図である。
【図８】本考案の商品展示用収容箱を組み立てた状態の背面側斜視図である。
【考案を実施するための形態】
【００２４】
本考案の商品展示用収容箱について、図面に示した実施例を用いて説明する。本考案に係る実施例の一つの商品展示用収容箱１は、図１に示すように、組み立て状態において、多数の商品Ｘをフック３（商品固定手段の一例）に引っ掛けて展示することができるとともに、図２に示すように、展示状態のまま商品Ｘをその内部に収容して箱状に梱包可能に構成されたものである。図１において商品Ｘはフック３に掛けられているが、図２に示す梱包時において、既に同様に商品Ｘはフック３に引っ掛けられた状態として箱状とされた商品展示用収容箱１内に収容されている。よって、図２の梱包状態から図１の組み立て状態として商品を展示するに際し、商品の並び替えを必要としない。そして
さらに、組み立て状態として展示する際に、不要なゴミなどを発生することのない商品展示用収容箱１である。  
【００２５】
図３に示すように、この商品展示用収容箱１は、展開状態において１枚の台紙１ａとして形成されている。この台紙１ａは、本例では段ボール製であるが、商品Ｘの梱包・搬送に支障のない程度の強度を確保可能な他の紙製であれば特定の紙に限るものではない。このような材質の１枚のシート状の原紙をカッティングして製造される。この加工工程においては、通常のカッティングマシンを用いることができる。  
【００２６】
台紙１ａは、それぞれ矩形状の第一側板１０、第二側板２０、第三側板３０、第四側板４０、蓋板５０および底板６０を備えている。第一側板１０、第二側板２０、第三側板３０および第四側板４０は、底板６０の四辺にそれぞれ連設されており、底板６０の上辺（図３における上方の辺を指す。なお、本明細書では、以下において、図３における上方および図１における組み立て後の商品展示用収容箱１の上方を「上」を指す方向とする。）から時計回りに順に、第一側板１０、第二側板２０、第三側板３０、第四側板４０が連設されている。また、蓋板５０は第一側板１０の先端に連設されている。そして、第二側板２０の先端には第一支持片７０が、第四側板４０の先端には第二支持片８０が、それぞれ連設されている。また、第二側板２０および第四側板４０の上辺には上部保持片２３が、第二側板２０および第四側板４０の下辺には下部保持片２５が、それぞれ連設されている。  
【００２７】
次に、台紙１ａの各部位の詳細について説明する。図３に示すように、台紙１ａの中心に位置する底板６０は、横長の長方形状に形成されている。その上方よりの部位には、横方向に並べて配置された３つのフック取付孔６２が開口されている。これらのフック取付孔６２には、図４、図６等に示すように、商品Ｘを引っ掛けるためのフック３がそれぞれ取り付けられている。フック３は底板６０の外側（商品展示用収容箱１を箱状にした場合の外側。以下において「外側」とは、図３において台紙１ａの奥側を指すものとする。）から差し込まれたフック固定具３ａと底板６０の内側に一部が突出したフック固定具３ａに固定されて底板６０を挟持固定するフック本体３ｂとにより構成されている。また、図６に示すように、底板６０の外側には、横方向に並べて配置されたベルクロファスナー６４が取り付けられている。  
【００２８】
図３に示すように、第一側板１０は底板６０の上辺に折れ目線Ｙを介して折り曲げ可能に連設されている。第一側板１０はその横方向の長さが底板６０の横方向と同じに、縦方向の長さがこれより短く、横長の長方形状に形成されている。この第一側板１０の先端には蓋板５０が折れ目線Ｙを介して折り曲げ可能に連設されている。蓋板５０は底板６０とほぼ同形状の外形に形成されており、さらにその先端には、後述する２つの差し込み用切込み５２が、蓋板５０の先端から基端方向の途中にかけて互いに平行に形成されている。図７に示すように、この第一側板１０および蓋板５０は、商品展示用収容箱１の組み立て時には、その背面側に向けて折り曲げることができるように構成され、蓋板５０を第一支持片７０と第二支持片８０に固定可能としている。  
【００２９】
第二側板２０は底板６０の右辺に折れ目線Ｙを介して折り曲げ可能に連設されている。第二側板２０はその縦方向の長さが底板６０の縦方向の長さと同じに、横方向の長さが第一側板１０の縦方向の長さと同一に、縦長の長方形状に形成されている。なお、第一側板１０および第三側板３０の縦、第二側板２０および第四側板４０の横の長さはすべて同一に設けられている。  
【００３０】
第二側板２０の先端には第一支持片７０が折れ目線Ｙを介して折り曲げ可能に連設されている。第一支持片７０は変形した四角形状に形成されており、その下辺７２は、第一支持片７０の先端にかけて上方に向かうように傾斜されている。また、その上辺７４は底板６０・第二側板２０の上辺から直線状に延設されているとともに下辺７２よりも短く設けられている。よって、第一支持片７０の先端辺７６は上方から下方に向けて、先端方向により突出するように傾斜されている。そして下辺７２と先端辺７６とはほぼ９０度の角度をなしている。また、上辺７４には差し込み用切込み７５が形成されている。差し込み用切込み７５は先端辺７６の長さの約６分の１の長さに、先端辺７６に概ね沿って切り込まれている。また、差し込み用切込み７５は、先端部より開口部寄りがやや広く形成されている。  
【００３１】
また、第一支持片７０の基端側には、第一支持片７０の一部を舌状に切り欠いて第二側板２０の先端から折れ目線Ｙを介して折り曲げ可能に設けられた固定用舌状片７８が連設されている。図２および図６に示すように、この固定用舌状片７８の裏面側（外側）には、ベルクロファスナー７９が取り付けられている。  
【００３２】
図３に示すように、第二側板２０の上辺および下辺にはそれぞれ、横長長方形状の上部保持片２３と下部保持片２５とが折れ目線Ｙを介して折り曲げ可能に連設されている。また、上部保持片２３および下部保持片２５の右端部には糊代片２６，２７がそれぞれ折れ目線Ｙを介して折り曲げ可能に連設されている。  
【００３３】
図４に示すように、第一支持片７０、上部保持片２３および下部保持片２５は、糊代片２６，２７が第一支持片７０の内側面に糊付けされて、第二側辺２０に対して、第一支持片７０、上部保持片２３および下部保持片２５が第二側辺２０の内側（手前側）にほぼ垂直に立設された状態となるようにして固定されている。なお、第四側板４０および第二支持片８０は、第二側板２０および第一支持片７０と左右対称の形状に形成されて、底板６０の左辺に連設されている。このように構成された第一支持片７０と第二支持片８０等は、図６および図７に示すように、商品展示用収容箱１の組み立て時において、ベルクロファスナー７９により底板６０の外側に固定されるとともに、蓋板５０を差し込んで簡便に固定することができるように構成されている。また、上部保持片２３および下部保持片２５により第一支持片７０と第二支持片８０とをそれぞれ補強する。また、下部保持片２５および第一支持片７０と第二支持片８０の下辺７２により、陳列の際の商品展示用収容箱１の後方側への荷重を適切に受け止め、商品展示用収容箱１を安定的に自立させる。  
【００３４】
図３に示すように、第三側板３０は底板６０の下辺に折れ目線Ｙを介して折り曲げ可能に連設されている。第三側板３０はその横方向の長さが底板６０の横方向と同じに、縦方向の長さがこれより短く、横長の長方形状に形成されている。この第三側板３０の先端には横長長方形状の折り曲げ部９０が折れ目線Ｙを介して折り曲げ可能に連設されている。折り曲げ部９０は第三側板３０との連設部である折れ目線Ｙに対して平行に、収容空間方向に向けてその頂部を形成可能な折れ目線Ｚを備えている。図１にも示すように、組み立て状態の商品展示用収容箱１においては、この折り曲げ部９０によって組み立て状態の商品展示用収容箱１の正面側に「突提」状の部位を形成することができ、商品Ｘが誤って第三側版３０上に落下したような場合でも手前側への商品Ｘの落下を防止することができる。また、折り曲げて傾斜された折り曲げ部９０の正面側面に広告表示などを表示すると、購入者などに対して広告表示を目立つように表示することもできる。  
【００３５】
このように構成された商品展示用収容箱１の使用方法および前述した以外の作用効果について説明する。図４に示すように、一部を糊付けした状態の台紙１ａについて、陳列状態と同様にフック３に商品Ｘを取り付ける。この例では３つのフック３に商品Ｘを２個ずつ計６個の商品を取り付けている。陳列時においては、このまま６個の商品が陳列されることになる。なお、搬送時に商品Ｘが搖動するなどして商品同士が接触することなどを防止したい場合には、クッション材などを同梱することが考えられる。ついで図２に示すように、第二側板２０および第四側板４０を立ち上げるようにして折り曲げる。そして、第三側板３０および折り曲げ部９０を同様に折り曲げる。最後に図５に示すように、蓋板５０を折り曲げ部９０の外側に合せるようにして折り曲げて、蓋板５０を折り曲げ部９０にテープその他の固定方法によって固定して梱包が完了する。なお、図２に示すように、ベルクロファスナー７９は、第一支持片７０、第二支持片８０の一部を舌状に切り欠いて第二側板２０の先端から折れ目線Ｙを介して折り曲げ可能に設けられた固定用舌状片７８に連設されているので、梱包時には箱状の商品展示用収容箱１の外側には露呈されない。なお、ベルクロファスナー７９を第二側板２０および第四側板４０の外側に取り付けて固定用舌状片７８を省略することもできるが、この場合には、梱包時の商品展示用収容箱１の外側にベルクロファスナー７９が露呈されることになる。よって、梱包時の商品展示用収容箱１の美観を向上させるためには、前述の例のように固定用舌状片７８を設けてこれにベルクロファスナー７９を取り付けることが望ましい。  
【００３６】
このようにして箱状にして搬送された商品展示用収容箱１は、販売場所などの展示箇所まで運ばれた後には、最初に蓋板５０を折り曲げ部９０から取り外して展開を始める。ついで、図６に示すように、第二側板２０および第四側板４０を後方に折り曲げる。そして、固定用舌状片７８を第一支持片７０および第二支持片８０に対して、さらに後方に向けて折り曲げる。ついで、図６および図７に示すように、第二側板２０および第四側板４０を底板６０の外側面に押し付けるところまで折り曲げるとともに、固定用舌状片７８にそれぞれ取り付けられたベルクロファスナー７９を底板６０の外側に取り付けられたベルクロファスナー６４に固定して、第二側板２０が第一支持片７０とともに、第四側板４０が第二支持片８０とともに、それぞれ底板６０に固定される。第二側板２０および第一支持片７０並びに第四側板４０および第二支持片８０を底板６０に固定する固定手段としては、両面テープなどを用いても良いが、固定の際に剥がした保護シールなどの処分を必要としない点では、前述の例のようにベルクロファスナー６４、７９を用いることが望ましい。  
【００３７】
ついで、図７および図８に示すように、蓋板５０を底板６０の外側に向けて折り曲げる。そして、蓋板５０の２つの差し込み用切込み５２と、第一支持片７０と第二支持片８０の差し込み用切込み７５とをそれぞれ互いに差し込んで固定する。蓋板５０と第一支持片７０および第二支持片８０との固定は、これらの一方（蓋板５０側かまたは第一支持片７０と第二支持片８０側のいずれか一方）に差し込み用切込みを設けるだけでも可能であるが、前述の例のように、蓋板５０に差し込み用切込み５２を設け、第一支持片７０と第二支持片８０に差し込み用切込み７５とを設けて、互いに差し込むように構成することにより、蓋板５０と第一支持片７０および第二支持片８０とを前後左右それぞれの方向において固定できるので、これらを安定的に固定するためには前述の例のように双方に差し込み用切込み５２、７５を設けることが望ましい。このようにして、図１および図８に示すように、梱包状態からフック３に商品Ｘを引っ掛けた状態のまま、余分な紙片などの発生を抑えて、商品展示用収容箱１を展示状態に組み立てることができる。  
【００３８】
本考案は前述した商品展示用収容箱１に限定されるものではなく、本考案の主旨の範囲内で適宜変更が可能である。例えば、フック３の数は適宜変更して良い。また、フック以外にも、例えば商品を載置しつつ固定できるトレイや、上端に開口部を備えてやや深みがあるポケットなどの他の商品固定手段を用いることとしても良い。また、第一支持片７０および第二支持片８０の下辺は、第一支持片７０および第二支持片８０の先端にかけて上方に向かうように傾斜されているが、この傾斜角度は、引っ掛けられる商品Ｘの総重量に応じて適宜変更し、商品展示用収容箱１の前後でのバランスを取ることが望ましい。また、商品展示用収
容箱１の各部のサイズは、収容される商品Ｘ全体のサイズに合わせて適宜変更することができる。また、箱状に組み立てられた状態において露呈するフック３をカバーするための保護テープなどを底板６０に張っておいても良い。また、展開時には正面側に向く底板６０の内側面や第一側板１０の内側面などに商品Ｘの広告表示や商品情報を表示しても良い。また、箱状に組み立てられた商品展示用収容箱１の外側面のいずれかに、展開して自立させるための手順をしめす説明の記載を表示しておいても良い。
【産業上の利用可能性】
【００３９】
本考案の商品展示用収容箱は、商品を展示するための種々の商品展示用収容箱に広く用いることができる。
【符号の説明】
【００４０】
１  商品展示用収容箱１１ａ  台紙３  フック３ａ  フック固定具３ｂ  フック本体１０  第一側板２０  第二側板２３  上部保持片２５  下部保持片２６，２７  糊代片３０  第三側板４０  第四側板５０  蓋板５２  差し込み用切込み６０  底板６２  フック取付孔６４  ベルクロファスナー７０  第一支持片７２  下辺７４  上辺７５  差し込み用切込み７６  先端辺７８  固定用舌状片７９  ベルクロファスナー８０  第二支持片９０  折り曲げ部Ｘ  商品Ｙ，Ｚ  折れ目線 
【図１】
0003214295.tif 000003
【図２】
0003214295.tif 000004
【図３】
0003214295.tif 000005
【図４】
0003214295.tif 000006
【図５】
0003214295.tif 000007
【図６】
0003214295.tif 000008
【図７】
0003214295.tif 000009
【図８】
0003214295.tif 000010
【手続補正書】
【提出日】平成29年9月25日(2017.9.25)
【手続補正１】
【補正対象書類名】実用新案登録請求の範囲
【補正対象項目名】請求項５
【補正方法】変更
【補正の内容】
【請求項５】
前記固定手段は面ファスナーであることを特徴とする請求項３または請求項４に記載の商品展示用収容箱。